(57)【要約】      （修正有）【課題】シートベルトに容易に着脱することができ、かつ、ボールペン等の筆記具のクリップやマスコット人形を差し込むことができ、シートベルトを着用したまま筆記具を扱うことができるシートベルト用パッドを提供する。【解決手段】シートベルトＳに扁平筒状に巻装可能な幅寸法及び着用者のベルト当接部位に対応する長さ寸法Ｌを有する略四角形状のパッド部材１からなり、パッド部材の両長辺縁部にパッド部材を扁平筒状に止着可能な止め手段２を配設し、パッド部材に切込部３を形成してなる。【選択図】図１
0003179952.tif 000002
【実用新案登録請求の範囲】
【請求項１】
シートベルトに扁平筒状に巻装可能な幅寸法及び着用者のベルト当接部位に対応する長さ寸法を有する略四角形状のパッド部材からなり、上記パッド部材の両長辺縁部に該パッド部材を扁平筒状に止着可能な止め手段を配設し、該パッド部材に切込部を形成してなることを特徴とするシートベルト用パッド。
【請求項２】
上記パッド部材に視認性を高める安全部材を配設してなることを特徴とする請求項１記載のシートベルト用パッド。
【請求項３】
上記パッド部材の上記切込部の裏面にポケット袋部を配設してなることを特徴とする請求項１又は２記載のシートベルト用パッド。
【考案の詳細な説明】
【技術分野】
【０００１】
本考案は、例えば、自動車用のシートベルトに装着して用いられるシートベルト用パッドに関するものである。
【背景技術】
【０００２】
従来、この種のシートベルト用パッドとして、両端が開口し、適宜な長さを有する扁平筒状をなしたパッド部材からなる構造のものが知られている。
【０００３】
しかして、パッド部材の装着により長時間運転等における着用者に対する圧迫や縛着に伴う違和感及び運転疲れの軽減並びに衣服の摩損を防ぐことになる。
【先行技術文献】
【特許文献】
【０００４】
【特許文献１】実開昭６１−９８６５８号公報
【特許文献２】実開平２−１５５４２号公報
【考案の概要】
【考案が解決しようとする課題】
【０００５】
しかしながらこの従来構造の場合、パッド部材に設けられた面ファスナーによりシートベルトへの着脱を簡易に行うことができるものの、着用者はシートベルトの装着により身動きが制限されており、シートベルトをしたまま、身体を伸ばして筆記具や手帳、メモ帳、小物類等を取ることになり、必要なときに迅速に取り出すことができないという不都合を有している。
【課題を解決するための手段】
【０００６】
本考案はこれらの不都合を解決することを目的とするもので、本考案のうちで、請求項１記載の考案は、シートベルトに扁平筒状に巻装可能な幅寸法及び着用者のベルト当接部位に対応する長さ寸法を有する略四角形状のパッド部材からなり、上記パッド部材の両長辺縁部に該パッド部材を扁平筒状に止着可能な止め手段を配設し、該パッド部材に切込部を形成してなることを特徴とするシートベルト用パッドにある。
【０００７】
又、請求項２に記載の考案は、上記パッド部材に視認性を高める安全部材を配設してなることを特徴とするものであり、又、請求項３に記載の考案は、上記パッド部材の上記切込部の裏面にポケット袋部を配設してなることを特徴とするものである。
【考案の効果】
【０００８】
本考案は上述の如く、請求項１記載の考案にあっては、シートベルトに扁平筒状に巻装可能な幅寸法及び着用者のベルト当接部位に対応する長さ寸法を有する略四角形状のパッド部材からなり、上記パッド部材の両長辺縁部にパッド部材を扁平筒状に止着可能な止め手段を配設し、パッド部材に切込部を形成しているから、パッド部材を止め手段によりシートベルトに容易に着脱することができ、かつ、パッド部材に形成された切込部にボールペン等の筆記具のクリップやマスコット人形を差し込むことができ、シートベルトを着用したまま筆記具を迅速に取り出すことができ、シートベルト着用時の利便性を高めることができ、さらに、シートベルトにパッド部材を取り付けることによりシートベルトの捻れや裏返りを防ぐことができ、シートベルトの着用感を損なうことがなく、シートベルトを違和感なく使用することができ、交通安全に寄与することができる。
【０００９】
又、請求項２記載の考案にあっては、上記パッド部材に視認性を高める安全部材を配設してなるから、安全部材により夜間における対向車からの視認性が高まり、シートベルト着用時の安全性を高めることができ、又、請求項３記載の考案にあっては、上記パッド部材の上記切込部の裏面にポケット袋部を配設してなるから、ポケット袋部に安全祈願お守りやチケット、携帯電話等の小物類を入れることができ、利便性を高めることができ、シートベルト着用時の利便性の向上によりシートベルトの着用率を上げることが期待され、交通安全に寄与することができる。
【図面の簡単な説明】
【００１０】
【図１】本考案の実施の第一形態例の正面図である。
【図２】本考案の実施の第一形態例の斜視図である。
【図３】本考案の実施の第一形態例の平断面図である。
【図４】本考案の実施の第一形態例の斜視図である。
【図５】本考案の実施の第一形態例の展開正面図である。
【図６】本考案の実施の第一形態例の使用状態図である。
【図７】本考案の実施の第二形態例の正面図である。
【考案を実施するための形態】
【００１１】
図１乃至図７は本考案の実施の形態例を示し、図１乃至図６は第一形態例、図７は第二形態例である。
【００１２】
図１乃至図６の第一形態例において、１は略四角形状のパッド部材であって、例えば、天然繊維や合成繊維からなるソフトな肌さわりの良い布地や、クッション性に富む布地が用いられ、図１の如く、シートベルトＳに扁平筒状に巻装可能な幅寸法Ｂ及び着用者Ｗのベルト当接部位に対応する長さ寸法Ｌを有しており、上記パッド部材１の両長辺縁部にパッド部材１を扁平筒状に止着可能な止め手段２を配設し、図３の如く、パッド部材１に筆記具Ｈのクリップやマスコット人形等を挿通係止可能な切込部３を形成している。
【００１３】
この場合、止め手段２として、図３の如く、相互に着脱自在な一対の面ファスナー２ａ・２ａが用いられ、上記パッド部材１の一方の長辺縁部に一方の面ファスナー２ａを取り付けると共に他方の長辺縁部に他方の面ファスナー２ａを取り付け、この一対の面ファスナー２ａ・２ａによりパッド部材１をシートベルトＳに着脱巻装可能に構成している。尚、上記止め手段２として、面ファスナーに限らず、ボタン、ホックなどの止め具を用いることもある。又、パッド部材１の表面に交通安全標語などの文字や記号等Ｍを入れることができる。
【００１４】
又、この場合、図１の如く、上記パッド部材１に、昼間の太陽光や、蛍光灯等のもとで蛍光を発するための光輝性のある鮮明な色を呈して視認性を高める蛍光生地製の蛍光テープからなる安全部材４を取り付けている。尚、安全部材４として、例えば、再帰性反射光により反射機能を有する生地の反射テープや、昼間の太陽光や、蛍光灯等の光を吸収して蓄え、残光性があるので暗所で短時間光る蓄光テープを用いることもある。
【００１５】
又、この場合、図２の如く、上記パッド部材１の裏面に上記切込部３を口部５ａとするポケット袋部５を配設して構成している。
【００１６】
この実施の第一形態例は上記構成であるから、図１、図４、図５、図６の如く、シートベルトＳに扁平筒状に巻装可能な幅寸法Ｂ及び着用者Ｗのベルト当接部位に対応する長さ寸法Ｌを有する略四角形状のパッド部材１からなり、上記パッド部材１の両長辺縁部にパッド部材１を扁平筒状に止着可能な止め手段２を配設し、パッド部材１に切込部３が形成されているから、パッド部材１を止め手段２によりシートベルトＳに容易に着脱することができ、かつ、パッド部材１に形成された切込部３にボールペン等の筆記具Ｈのクリップを差し込むことができ、シートベルトＳを着用したまま筆記具Ｈを迅速に取り出すことができ、シートベルトＳ着用時の利便性を高めることができ、さらに、シートベルトＳにパッド部材１を取り付けることによりシートベルトＳの捻れや裏返りを防ぐことができ、シートベルトＳの着用感を損なうことがなく、シートベルトＳを違和感なく使用することができ、交通安全に寄与することができる。
【００１７】
この場合、上記パッド部材１に視認性を高める安全部材４を配設してなるから、安全部材４により夜間における対向車からの視認性が高まり、シートベルトＳ着用時の安全性を高めることができ、又、この場合、上記パッド部材１の上記切込部３の裏面にポケット袋部５を配設してなるから、ポケット袋部５に安全祈願お守りやチケット、携帯電話等の小物類を入れることができ、利便性を高めることができ、シートベルトＳ着用時の利便性の向上によりシートベルトＳの着用率を上げることが期待され、交通安全に寄与することができる。
【００１８】
図７の第二形態例は別例構造を示し、この場合、上記切込部３を口部５ａとするポケット袋部５・５を上下対称状に二個配設して構成している。
【００１９】
この実施の第二形態例にあっては、図７の如く、パッド部材１の上下位置に切込部３・３及びポケット袋部５・５が上下対称状に二個配設されているので、パッド部材１を上下逆にしてシートベルトＳに装着することにより、肌触りが不快とされ易い安全部材４が着用者Ｗの首もとに当たることがなくなり、パッド部材１を運転席又は補助席の左右どちらの座席のシートベルトＳにも巻装することができ、運転席又は補助席においても快適に兼用して使用することができる。
【００２０】
尚、本考案は上記の形態例に限られるものではなく、上記パッド部材１、止め手段２、切込部３、安全部材４、ポケット袋部５の材質や形態、構造等は適宜変更して設計されるものである。
【００２１】
以上の如く、所期の目的を充分達成することができる。
【符号の説明】
【００２２】
Ｓ    シートベルト
Ｂ    幅寸法
Ｌ    長さ寸法
Ｗ    着用者
１    パッド部材
２    止め手段
３    切込部
４    安全部材
５    ポケット袋部
【図１】
0003179952.tif 000003
【図２】
0003179952.tif 000004
【図３】
0003179952.tif 000005
【図４】
0003179952.tif 000006
【図５】
0003179952.tif 000007
【図６】
0003179952.tif 000008
【図７】
0003179952.tif 000009